(57)【要約】      （修正有）【課題】専門の取付け業者のみならず、一般の取り付け作業者においても、手軽に必要とする位置に取り付けることができ、取り付ける位置を間違える心配がなくなり、ディンプル（凹部）の向きが正しく固定される手すりを提供する。【解決手段】円柱状または円筒状手すり本体１の外周に滑り止めのためのディンプル（凹部）２を手すりの長手方向に１列または複数列に施された手すりにおいて、手すり固定用具ブラケット４に取り付けるための位置決め目印３を手すり本体１に設ける。目印３は手すりの長手方向に配設された１本以上の連続線または連続溝であり、これらの連続線または連続溝が滑り止めのためのディンプル（凹部）２の列と平行に配設される。【選択図】図２
0003193253.tif 000002
【実用新案登録請求の範囲】
【請求項１】
手すりの外周に滑り止めのためのディンプル（凹部）が長手方向に１列または複数列に形成された円柱状または円筒状の手すりにおいて、固定用具に取り付けるための位置決め目印が長手方向に連続して配設されたことを特徴とする手すり。
【請求項２】
位置決め目印が
（１）手すりの長手方向に配設された１本以上の線または溝であり、
（２）これらの線または溝が滑り止めのためのディンプル（凹部）の列と平行に配設された
ことを特徴とする請求項１に記載の手すり。
【請求項３】
手すりが円柱状の木製であることを特徴とする請求項２に記載の手すり。
【考案の詳細な説明】
【技術分野】
【０００１】  本考案は建築物や建造物の屋内外の歩行通路、階段、寝室、浴室、トイレ等の壁面に取り付けられる安全手すりに関するものである。
【背景技術】
【０００２】  階段の昇降、屋内外の歩行や寝室、浴室、トイレ等で体を支えるために使う円柱状の安全手すりは握りやすく掴んだとき滑らないように、いろいろな工夫がなされてきている。その中で、円柱状木製手すりの指と掌で握る部分にディンプル（凹部）を形成した手すりが多く使われている。従来のこれらのディンプル（凹部）を施した手すりは、強度、機能性、掴んだ際の指触りなどを考慮し、手すりの外周全面ではなく、指と掌がフィットする箇所にディンプル（凹部）を形成している。例えば、特許文献１および非特許文献１に紹介されている。このような円柱状タイプの木製手すりは、一般的には壁面のベースプレート上のブラケットを介して固定される。
【先行技術文献】
【特許文献】
【０００３】
【特許文献１】  特開２００７−２１１５７３号  公報
【特許文献２】  特開平８−６８１７９号  公報
【非特許文献】
【０００４】
【非特許文献１】  施工のための住宅建材カタログ（マツ六株式会社）  ｖｏｌ．８「ファーストリフォーム」２０１１−２０１２  ｐ７１−７２  木製手すり棒ディンプル付
【考案の概要】
【考案が解決しようとする課題】
【０００５】  ディンプル（凹部）を有した円柱状タイプの木製手すりを壁面などに取り付ける際、壁面にベースプレートを固定し、その上に固定用具であるブラケットを取り付け、このブラケットに手すりを固定する方法が普及している。ブラケットへディンプル（凹部）を有した円柱状木製手すりを取り付ける場合、ディンプル（凹部）の向きを考慮する必要がある。手すりと支持金具とを連結する連結構造体が特許文献２に紹介されている。この連結構造体は手すり本体に一定間隔をとって位置決め部分を配設し、手すり本体と支持金具とをお互いに固定する提案であるが、この連結構造体は位置決め部分が一定間隔に配設されているため、現地施工時、任意の長さに手すりを切断、加工した際、位置決め部分の位置ズレが生じる結果、目印となるはずの不連続な小孔がズレ、多様な形状をした支持金具に対応できないという不具合が生じる。この方法は大まかな目安にはなるが、手すりを設置する現場では、一般的に現地の寸法に合わせながら固定する場合が多いため、正確に芯出しすることが困難である。このような場合は、作業者の職人感覚に頼らざるを得ず、取り付ける人によるバラツキが生じ、意図する位置がズレたり、また固定するために時間を要するという不具合が生じる。本考案は手すり取り付けに関する特段の専門的な知識を必要とせず、また作業者の感覚に頼らず、前述の欠点を解決しようとするものである。
【課題を解決するための手段】
【０００６】  本考案は、円柱状木製手すりの外周に滑り止めのためのディンプル（凹部）が手すりの長手方向に１列または複数列に形成された手すりにおいて、手すり固定用具ブラケットに取り付けるための位置決め目印を該手すりに設けるものである。目印は手すりの長手方向に形成された１本以上の連続線または連続溝であり、これらの連続線または連続溝が滑り止めのためのディンプル（凹部）の列と平行に設けることで可能となる。
【考案の効果】
【０００７】  上述のように、本考案の手すりは特に専門の取付け業者のみならず、一般の取り付け作業者においても、手軽に必要とする位置に取り付けることができ、取り付ける位置を間違える心配がなくなり、ディンプル（凹部）の向きが正しく固定される。利用者は手すりを握った際、確実に指と掌がディンプル（凹部）を掴み、滑ることなく安心して使うことができる。
【図面の簡単な説明】
【０００８】
【図１】は位置決め用目印を有するディンプル（凹部）付円柱状木製手すりを示した図である。
【図２】はブラケットとディンプル（凹部）付円柱状木製手すりの芯出しされた取り付け図である。
【図３】は壁面に取り付けた円柱状木製手すりの全体を示した図である。
【考案を実施するための形態】
【０００９】  従来の建築物や建造物の屋内外の壁面等に設けられる円柱状手すりは手で握り易く、滑り難くするために手すりの外周に多数の滑り止めのための凹部を形成したものが市販されている。これらの凹部は一列または複数列に形成され、手の指が凹部に入って掛かり、指と掌で握り易く、滑り難くなっている。また、形成された凹部は円柱状手すりの直径に対して浅く、手すりの強度が低下することがないように設計されている。
前記の如く、ディンプル（凹部）は円柱状手すりの全面ではなく、指と掌で確実に掴むことができるような形状をなし、指と掌が接触する円柱状手すりの特定箇所に施されている。このような円柱状手すりを壁に固定するために用意された取り付け用具（ブラケット）へ取り付ける場合、ディンプル（凹部）付円柱状手すりとブラケット間で芯出し、即ち、取り合いの位置を決める必要がある。また、手すりの取り付け施工時、現地での寸法に合わせ、定尺物の手すりを適切な長さに切断、加工するため、手すりの長手方向に連続したライン状の目印があることが必要である。従来のディンプル（凹部）付円柱状手すりは位置決め用の目印がないか、もしくは目印があっても一定間隔の配列であるため、切断した際、目印とならず、現地施工における芯出しが困難であった。
本考案の位置決め用目印を有するディンプル（凹部）付円柱状木製手すりであれば取り付ける際の位置決め用の目印が円柱状手すりの長手方向に連続して配設しているため、どの位置においても、ブラケット側の目印（例えば、固定用ビス孔）に合わせることができ、ズレが生じることなく、迅速に取り付けることが可能になり、取り付けに要する時間の短縮が図れる。本考案は前述の欠点を解決しようとするものである。
位置決め用目印を有するディンプル（凹部）付円柱状手すりの材質は特に金属、木材、プラスチックス等に限定されるものではないが、一般的に目的とする荷重に耐えられる相当の強度、太さを有するものであれば良い。好ましくは、現地施工時の加工性や製造コストの面から、木製手すりが選ばれる。一般的には位置決め用目印を有するディンプル（凹部）付円柱状手すりの太さは直径３０〜４０ｍｍ程度の棒状のもので良い。以下、具体的に動作と移動を補助するための、位置決め用目印を有するディンプル（凹部）付円柱状木製手すりの実施例を詳細に示すが、本考案はこれに限定されるものではない。
【実施例】
【００１０】  図３に壁面に取り付けた円柱状木製手すりの全体を示した。本発明に係る室内用の位置決め用目印を有するディンプル（凹部）付円柱状木製手すり１を示しており、手すり１の取り付け用目印である連続溝３を目印として、取り付け用具であるブラケット４に固定されている。ブラケット４は壁５に固定されている。手すりおよび関連部材は必要十分な強度を持った材料でできている。【００１１】  図１は位置決め用目印を有するディンプル（凹部）付円柱状木製手すりを示している。手すりの長さは一般的な定尺の２ｍまたは４ｍが多く使われるが、現地施工時に任意の長さに切断、加工される。図１には標準的な寸法である直径３５ｍｍの円柱状木製手すりを示した。ディンプル（凹部）の間隔２０ｍｍ、ディンプル（凹部）の深さ５ｍｍ、手すりＡ―Ａ断面におけるディンプル（凹部）間の角度９０°である。
位置決め用目印である連続溝は手すり長手方向に３本配設されている。それぞれの連続溝は、手すりの長手方向に２列に形成されたディンプル（凹部）と平行に配設されている。また、３本の位置決め用目印である連続溝はそれぞれ、２列のディンプル（凹部）の中心を連ねる線上に２本およびその２本の中心に１本配設されるが、ディンプル（凹部）の列の数によっては、これらの位置に限定せずとも良い。
位置決め用目印である連続溝の幅、深さは１〜２ｍｍ程度で良く、目印として認識できれば良い。【００１２】  図２はブラケットとディンプル（凹部）付円柱状木製手すりの芯出しされた取り付けの詳細である。取り付けの位置決めは固定用支持部材であるブラケットの固定用ビス孔２点を結ぶ線上に、手すりに配設された１本の連続溝を合わせることで取り付け位置決めが簡単に迅速にできる。現地施工の際、手すりの長さを調整するため切断、加工を行っても、本考案の位置決め用目印を有するディンプル（凹部）付円柱状木製手すりであれば、連続溝を配設しているので、どの切断、加工した位置でも目印を失うことなく取り付けることが可能である。また、手すりの長さ調整のために切断、加工で発生する端材が減り、資源を最大限活用できるなど産業上メリットが大きい。取り付け位置決めの指標として、本実施例ではブラケットの固定用ビス孔を利用しているが、固定用支持部材のブラケット側の指標は必ずしもビス孔に限定されるものではなく、他のものを指標に定めて良い。【００１３】  以上、図１、図２、図３に示した本考案の手すりおよび方法により、迅速に取り付け位置を間違えることなく正確に、固定支持部材ブラケットに固定することができた。また、手すりの切断、加工で発生する端材が減った。
【産業上の利用可能性】
【００１４】  建築物や建造物の屋内外の歩行通路、階段、寝室、浴室、トイレ等の壁面に取り付けられる安全手すりに関する考案であり、介護老人ホーム、賃貸住宅、一般家庭、官公庁や企業の事務所等で広範囲に利用できる。
【符号の説明】
【００１５】１    ディンプル（凹部）を有した円柱状木製手すり本体
２    ディンプル（凹部）
３    取り付けるための目印（連続溝）
４    ブラケット（取り付け用具）
５    壁
６    ビス孔
ａ  円柱状木製手すりの直径
ｂ  ディンプルの間隔
ｃ  ディンプルの深さ
Ｄ  円柱状手すり断面の中心Ｄ
θ  円柱状木製手すり断面の中心Ｄと同一円周上の２個のディンプルの中心をそれぞれ      結ぶ２つの半径がなす２分の１の角度
【図１】
0003193253.tif 000003
【図２】
0003193253.tif 000004
【図３】
0003193253.tif 000005